(57)【特許請求の範囲】
【請求項１】
電話回線網と接続可能な２つの端子を有する回線接続端子と、
前記各端子と一対の接続線を介して接続され、前記一対の接続線間の電圧を検出する電圧検出回路を有し、前記回線接続端子を介して前記電話回線網との間で信号の送受信を行うモデム部と、
前記モデム部によって送受信される信号を画像処理する画像処理部と、
制御部と、
操作部と、
前記モデム部と前記画像処理部とに電力を供給する電源部と、を備え、
前記制御部は、
前記電源部から前記モデム部と前記画像処理部とへ電力供給させ、命令に応じて前記画像処理部に前記信号の画像処理を指示する第１命令待機処理と、
前記第１命令待機処理後、前記命令又は前記信号の受信が無く、所定時間が経過し、その時点で前記電圧検出回路が前記電圧を検出しない場合、前記電源部から前記モデム部と前記画像処理部とへの電力供給を停止させるオフモード移行処理と、
前記オフモード移行処理後、前記操作部のキー操作の有無を検出するキー操作検出処理と、
前記キー操作検出処理によってキー操作の有を検出した際、前記電源部から前記モデム部への電力供給を停止させた状態で、前記電源部からの電力を前記画像処理部に電力供給させ、命令に応じて前記画像処理部に前記信号の画像処理の実行を指示する第２命令待機処理と、
を有する画像処理装置。
【請求項２】
請求項１記載の画像処理装置であって、
前記制御部は、
更に、
前記オフモード移行処理後、所定時間経過する毎に、前記電源部から前記電圧検出回路へ電力供給させ、前記電圧検出回路が前記電圧を検出した場合、前記第１命令待機処理を実行するように指示する、一時復帰処理、
を有する画像処理装置。
【請求項３】
請求項２記載の画像処理装置であって、
更に、
表示部、を備え、
前記第１命令待機処理は、更に、前記電源部から前記表示部へ電力供給させ、
前記オフモード移行処理は、更に、前記電源部から前記表示部への電力供給を停止させ、
前記第２命令待機処理は、更に、前記電源部から前記表示部へ電力供給させ、警告を前記表示部に表示させる、
画像処理装置。
【請求項４】
請求項３記載の画像処理装置であって、
更に、
第２命令待機処理中に、前記操作部が指示を受け付けたことを検出した場合、前記第２命令待機処理の実行を停止し、前記電源部から前記モデム部へ電力供給させて、前記第１命令待機処理を実行する、
画像処理装置。
【請求項５】
請求項４記載の画像処理装置であって、
前記モデム部は、前記電圧検出回路と、前記回線接続端子を介して前記電話回線網との間で信号の送受信を行う回線信号送受信回路と、を有し、
前記制御部は、
更に、
前記第１命令待機処理開始時又は前記命令若しくは前記信号の受信があった時から所定時間経過しても前記命令又は前記信号の受信が無い場合、前記電源部から前記画像処理部と前記表示部と前記電圧検出回路とへの電力供給を停止させ、前記電源部から前記モデム部へ電力供給させる第１スリープモード移行処理と、
前記電源部から前記画像処理部と前記表示部と前記モデム部への電力供給を停止させる第２スリープモード移行処理と、
を有し、
前記オフモード移行処理は、前記第１スリープモード移行処理から所定時間経過時に前記電源部から前記電圧検出回路へ電力供給させ、前記電圧検出回路が前記電圧を検出しない場合に前記電源部から前記モデム部と前記画像処理部への電力供給を停止させ、
前記第２スリープモード移行処理は、前記第２命令待機処理開始時又は前記命令若しくは前記信号の受信があった時から所定時間経過しても前記命令又は前記信号の受信が無い場合に実行する、
画像処理装置。
【請求項６】
請求項５記載の画像処理装置であって、
前記第２スリープモード移行処理は、前記第２スリープモード移行処理を開始してから所定期間毎に、前記電源部から前記電圧検出回路へ電力供給させ、前記電圧検出回路が前記電圧を検出した場合は、前記電源部から前記モデム部へ電力供給させて、前記第１スリープモード移行処理を実行する、
画像処理装置。
【発明の詳細な説明】
【技術分野】
【０００１】
本発明は、電話回線に接続され、データの通信を行う画像処理装置に関する。
【背景技術】
【０００２】
従来、特許文献１のように、モデム部や、画像形成部、画像読取部といった画像処理部を有するファクシミリ装置等の画像処理装置がある。モデム部は、回線接続端子に電話回線が接続され、回線接続端子間の電圧を検出する電圧検出回路と、電話回線を介して外部に電話やファックスの画像データ等の信号を送受信する回線信号送受信回路と、を有する。この種の画像処理装置では、省エネモード時に、画像処理部、及び、モデム部内の各種回路への電力供給を停止させることで省電力が達成される。
【先行技術文献】
【特許文献】
【０００３】
【特許文献１】特開２０１４−３６３７９号公報
【発明の概要】
【発明が解決しようとする課題】
【０００４】
回線接続端子に電話回線が接続されていない場合、モデム部は、電話回線を介して信号を受信しない。その為、省エネモードとしてモデム部全体に電力供給すると無駄となる為、モデム部全体に対して電力供給を停止するオフモードがある。所定のタイミングでモデム部の電圧検出回路が回線接続端子間の電圧を検出しない場合、画像処理装置は、モデム部全体に電力供給され画像形成命令等の各種命令を待っている待機モードからオフモードへ移行する。
【０００５】
しかし、画像処理装置がオフモードにある時、オンキーといった操作部の入力に応じて復帰した際、回線接続端子に電話回線が接続されていないにもかかわらず、モデム部全体に電源供給されている待機モードに移行すると、モデム部に無駄な電源供給されることになるという問題があった。
【０００６】
本発明の目的は、一度、回線接続端子に電話回線が接続されていないと判断されてオフモード状態へ移行した場合、操作部のキー操作に応じて復帰した際は、モデム部に電力が供給されない待機状態へ移行することによって、モデム部に電力が供給される待機状態へ移行する場合に比べて省電力となる、画像処理装置を提供することである。
【課題を解決するための手段】
【０００７】
前記の目的を達成するため、本発明に係る画像処理装置は、電話回線網と接続可能な２つの端子を有する回線接続端子と、前記各端子と一対の接続線を介して接続され、前記一対の接続線間の電圧を検出する電圧検出回路を有し、前記回線接続端子を介して前記電話回線網との間で信号の送受信を行うモデム部と、前記モデム部によって送受信される信号を画像処理する画像処理部と、制御部と、操作部と、前記モデム部と前記画像処理部とに電力を供給する電源部と、を備え、前記制御部は、前記電源部から前記モデム部と前記画像処理部とへ電力供給させ、命令に応じて前記画像処理部に前記信号の画像処理を指示する第１命令待機処理と、前記第１命令待機処理後、前記電圧検出回路が前記電圧を検出しない場合、前記電源部から前記モデム部と前記画像処理部とへの電力供給を停止させるオフモード移行処理と、前記オフモード移行処理後、前記操作部のキー操作の有無を検出するキー操作検出処理と、前記キー操作検出処理によってキー操作の有を検出した際、前記電源部から前記モデム部への電力供給を停止させた状態で、前記電源部からの電力を前記画像処理部に電力供給させ、命令に応じて前記画像処理部に前記信号の画像処理の実行を指示する第２命令待機処理とを有する。
【０００８】
この構成によれば、第１命令待機処理により、画像処理装置の電力消費状態は、モデム部及び画像処理部に電力が供給される待機状態になる。第１命令待機処理後、電圧検出回路が電圧を検出しない場合、モデム部及び画像処理部への電力供給が停止される。これにより、画像処理装置の電力消費状態は、待機状態から待機状態よりも低消費電力であるオフモード状態に移行する。
【０００９】
オフモード状態において、操作部のキー操作が検出されると、第２命令待機処理により、電源部からモデム部への電力供給が停止されたまま、画像処理部に電力が供給される。これにより、画像処理装置の電力消費状態は、オフモード状態からモデム部に電力が供給されない待機状態に移行する。よって、オフモード状態からモデム部に電力が供給される待機状態に移行する場合よりも省電力となる。
【発明の効果】
【００１０】
本発明によれば、一度、回線接続端子に電話回線が接続されていないと判断されてオフモード状態へ移行した場合、操作部のキー操作に応じて復帰した際は、モデム部に電力が供給されない待機状態へ移行することによって、モデム部に電力が供給される待機状態へ移行する場合に比べて省電力となる。
【図面の簡単な説明】
【００１１】
【図１】本発明の一実施形態に係るＭＦＰの電気的構成の要部を示すブロック図である。
【図２】ＭＦＰの電力消費状態の遷移を示す状態遷移図である。
【図３】状態遷移処理の流れを示すフローチャートである。
【図４】第１通常処理の流れを示すフローチャートである。
【図５】第１スリープ処理の流れを示すフローチャートである。
【図６】オフモード処理の流れを示すフローチャートである。
【図７】第２通常処理の流れを示すフローチャートである。
【図８】第２スリープ処理の流れを示すフローチャートである。
【発明を実施するための形態】
【００１２】
以下では、本発明の実施の形態について、添付図面を参照しつつ詳細に説明する。
【００１３】
＜ＭＦＰの構成＞
【００１４】
ＭＦＰ１（画像処理装置の一例）は、図１に示されるように、プリンタ機能、スキャナ機能及びファクシミリ機能を有する複合機である。具体的には、ＭＦＰ１は、各種機能を実現するために、画像形成部１１（画像処理部の一例）、画像読取部１２（画像処理部の一例）、表示部１３、操作部１４、モデム部１５、ネットワーク通信部１６及び低圧電源１７（電源部の一例）を備えている。
【００１５】
画像形成部１１は、画像形成ジョブについての画像形成を実行し、画像形成ジョブに係る画像をシートに形成する。画像形成の方式は、電子写真方式であってもよいし、インクジェット方式であってもよい。
【００１６】
画像読取部１２は、イメージセンサ及びＡＦＥ（Analog Front End）などを備えている。画像読取部１２では、イメージセンサにより原稿の画像が読み取られて、イメージセンサからアナログ画像信号が出力され、ＡＦＥによりそのアナログ画像信号がデジタル画像データに変換される。
【００１７】
表示部１３は、例えば、液晶表示器からなる。
【００１８】
操作部１４は、各種の指示を入力するために操作される操作ボタン（例えば、電源キー、スタートキー、ＯＫキー、テンキー、カーソルキー）などを備えている。
【００１９】
モデム部１５は、モジュラジャック２１（回線接続端子の一例）を介して、電話回線網２２に接続される。モジュラジャック２１は、モジュラケーブル２３の一端が接続される端子であり、第１接点２４（端子の一例）及び第２接点２５（端子の一例）を有している。モジュラケーブル２３の一端がモジュラジャック２１に接続されると、モジュラケーブル２３の２つの局線のうちの一方が第１接点２４に接続され、他方が第２接点２５に接続される。モジュラケーブル２３の他端は、電話回線網２２に接続されている。
【００２０】
モデム部１５は、ＤＡＡ（Direct Access Arrangement）３１及びモデム３２を内蔵している。ＤＡＡ３１は、電圧検出回路３３を備えている。電圧検出回路３３は、一対の第１接続線３５及び第２接続線３６を介して、モジュラジャック２１の第１接点２４及び第２接点２５に接続されている。電話回線網２２を構成する電話回線には、４８Ｖ程度の直流電圧が印加されている。電圧検出回路３３は、電話回線から第１接続線３５及び第２接続線３６に入力される回線電圧（直流電圧）を検出する。ＤＡＡは、電話回線網２２への回線信号の送出及び電話回線網２２からの受信などを制御する回線信号送受信回路３４を更に備えている。モデム３２は、デジタル信号を電話回線網２２に送出するアナログ信号に変調し、電話回線網２２から受信されるアナログ信号をデジタル信号に復調する機能を有している。
【００２１】
ネットワーク通信部１６は、ＰＣ（Personal Computer）などの外部端末２とのＬＡＮ（Local Area Network）を経由したネットワーク通信のための回路などを備えている。
【００２２】
低圧電源１７は、画像形成部１１、画像読取部１２、表示部１３、操作部１４、モデム部１５及びネットワーク通信部１６などの各部に供給される動作電圧を発生させる電源である。低圧電源１７は、動作状態で、商用交流電源から電圧（例えば、１００Ｖ）の供給を受け、その電圧を動作電圧用の所定電圧（例えば、２４Ｖ）に変換する。なお、表示部１３、操作部１４及びネットワーク通信部１６の動作電力は、低圧電源１７から直接供給されてもよいし、後述のＡＳＩＣ４１を経由して供給されてもよい。
【００２３】
低圧電源１７の動作／停止は、操作部１４に設けられている電源キー（電源ボタン）の押操作により交互に切り替わる。すなわち、低圧電源１７が停止状態で電源キーが押操作されると、低圧電源１７が動作状態になり、低圧電源１７が動作状態で電源キーが押操作されると、低圧電源１７が停止状態になる。
【００２４】
以下では、低圧電源１７の動作状態を「電源オンの状態」といい、低圧電源１７の停止状態を「電源オフの状態」という。
【００２５】
ＭＦＰ１は、ＡＳＩＣ（Application Specific Integrated Circuit）４１、ＲＯＭ４２及びＲＡＭ４３を備えている。
【００２６】
ＡＳＩＣ４１（制御部の一例）は、ＣＰＵ４４を内蔵している。ＡＳＩＣ４１には、画像形成部１１、画像読取部１２、表示部１３、操作部１４、モデム部１５、ネットワーク通信部１６及び低圧電源１７が電気的に接続されている。ＡＳＩＣ４１の動作電圧は、低圧電源１７から供給される。ＣＰＵ４４は、ＲＯＭ４２に記憶されているプログラムを実行し、操作部１４やモデム部１５などからＡＳＩＣ４１に入力される信号などに基づいて、画像形成部１１、画像読取部１２、表示部１３、モデム部１５及びネットワーク通信部１６を制御する。ＣＰＵ４４による制御（プログラム）の実行時、ＲＡＭ４３は、ＣＰＵ４４によって、ワークエリアとして使用される。ＲＡＭ４３には、ＮＶＲＡＭ（Non Volatile RAM）などの不揮発性メモリが含まれていてもよい。
【００２７】
＜状態遷移＞
【００２８】
ＭＦＰ１では、図２に示されるように、モデム部１５への電話回線網２２の接続の有無、画像形成部１１に対する画像形成の実行命令の有無、画像読取部１２に対する画像読取の実行命令の有無、操作部１４の操作の有無等に応じて、電力消費状態が遷移する。
【００２９】
電源オフの状態から電源キーが押操作（オン）されると、ＭＦＰ１の電力消費状態が第１待機状態となる。第１待機状態では、低圧電源１７から画像形成部１１、画像読取部１２、表示部１３、操作部１４、モデム部１５及びネットワーク通信部１６に動作電力が供給される。第１待機状態は、操作部１４のキー操作による画像形成又は画像読取の実行命令待ち、モデム部１５又はネットワーク通信部１６による画像形成に係るデータの受信待ちの状態である。画像形成部１１に動作電力が供給されているので、画像形成の実行命令又は画像形成に係るデータの受信があると、第１待機状態から画像形成部１１による画像形成の実行状態に直ちに移行する。また、画像読取部１２に動作電力が供給されているので、画像読取部１２による画像読取の実行命令があると、第１待機状態から画像読取部１２による画像読取の実行状態に直ちに移行する。画像形成又は画像読取の実行終了後は、電力消費状態が第１待機状態となる。
【００３０】
なお、以下では、低圧電源１７から画像形成部１１、画像読取部１２、表示部１３、操作部１４、モデム部１５及びネットワーク通信部１６等の各部への動作電力の供給及び動作電力が供給されている状態を「オン」と表現し、各部への動作電力の供給の停止及び動作電力の供給が停止されている状態を「オフ」と表現する。
【００３１】
第１待機状態において、画像形成若しくは画像読取の実行命令又は画像形成に係るデータの受信がなく、所定時間Ｔ１が経過すると、電力消費状態が第１待機状態から第１スリープ状態に移行する。第１スリープ状態では、画像形成部１１、画像読取部１２及び表示部１３がオフにされ、操作部１４、モデム部１５及びネットワーク通信部１６がオンにされる。したがって、第１スリープ状態は、第１待機状態よりも消費電力が低い。第１スリープ状態において、画像形成若しくは画像読取の実行命令又は画像形成に係るデータの受信があると、電力消費状態が第１スリープ状態から第１待機状態に戻り、画像形成部１１、画像読取部１２及び表示部１３がオンされる。そして、第１待機状態から画像形成又は画像読取の実行状態に移行する。
【００３２】
第１スリープ状態において、画像形成若しくは画像読取の実行命令又は画像形成に係るデータの受信がなく、所定時間Ｔ２が経過し、その時点でモデム部１５が電話回線網２２（電話回線）と接続されていない場合、電力消費状態が第１スリープ状態からオフモード状態に移行する。オフモード状態では、画像形成部１１、画像読取部１２、表示部１３、モデム部１５及びネットワーク通信部１６がオフにされ、操作部１４がオンにされる。したがって、オフモード状態は、第１スリープ状態よりも消費電力が更に低く、消費電力が最も低い状態である。
【００３３】
オフモード状態で所定時間Ｔ３が経過すると、電力消費状態がオフモード状態から第１一時復帰モード状態に移行する。第１一時復帰モード状態では、モデム部１５の電圧検出回路３３がオンされる。そして、電圧検出回路３３により検出される電圧値が０である場合、つまりモデム部１５が電話回線網２２と接続されていない場合は、電圧検出回路３３がオフされて、電力消費状態が第１一時復帰モード状態からオフモードに戻る。一方、電圧検出回路３３により検出される電圧値が０でない場合、つまりモデム部１５が電話回線網２２と接続されている場合は、電力消費状態が第１一時復帰モード状態から第１待機状態に移行する。
【００３４】
オフモード状態において、電源キーが押操作（オン）されると、電力消費状態がオフモード状態から第２待機状態に移行する。第２待機状態では、モデム部１５がオフにされ、画像形成部１１、画像読取部１２、表示部１３、操作部１４及びネットワーク通信部１６がオンにされる。したがって、第２待機状態は、モデム部１５による消費電力分、第１待機状態よりも消費電力が低い。画像形成部１１及び画像読取部１２に動作電力が供給されているので、画像形成若しくは画像読取の実行命令又は画像形成に係るデータの受信があると、第２待機状態から画像形成部１１による画像形成又は画像読取部１２による画像読取の実行状態に直ちに移行する。画像形成又は画像読取の実行終了後は、電力消費状態が第２待機状態となる。
【００３５】
また、第２待機状態では、電話回線が非接続である旨の警告が表示部１３の画面に表示される。これにより、ユーザは、電話回線が非接続であることを認識することができる。例えば、操作部１４に含まれるＯＫキーが押操作されると、電話回線を接続したか否かをユーザに問い合わせるメッセージ及び「ＹＥＳ／ＮＯ」のボタンが表示部１３の画面に表示される。そして、ユーザによりモジュラジャック２１にモジュラケーブル２３が接続された後、操作部１４に含まれるカーソルキーの押操作により「ＹＥＳ」のボタンが選択されて、ＯＫボタンが押操作されると、モデム部１５がオンにされて、電力消費状態が第２待機状態から第１待機状態に移行する。そのため、ユーザがファクシミリ機能を直ちに使用することができる。
【００３６】
第２待機状態において、画像形成若しくは画像読取の実行命令又は画像形成に係るデータの受信がなく、所定時間Ｔ４が経過すると、電力消費状態が第２待機状態から第２スリープ状態に移行する。第２スリープ状態では、画像形成部１１、画像読取部１２、表示部１３及びモデム部１５がオフにされ、操作部１４及びネットワーク通信部１６がオンにされる。したがって、第２スリープ状態は、第２待機状態よりも消費電力が低く、モデム部１５による消費電力分、第１スリープ状態よりも消費電力が低い。第２スリープ状態において、画像形成若しくは画像読取の実行命令又は画像形成に係るデータの受信があると、電力消費状態が第２スリープ状態から第２待機状態に戻り、画像形成部１１、画像読取部１２及び表示部１３がオンされる。そして、第２待機状態から画像形成又は画像読取の実行状態に移行する。
【００３７】
第２スリープ状態において、画像形成若しくは画像読取の実行命令又は画像形成に係るデータの受信がなく、所定時間Ｔ５が経過すると、第２スリープ状態から第２一時復帰モード状態に移行する。第２一時復帰モード状態では、モデム部１５の電圧検出回路３３がオンされる。そして、電圧検出回路３３により検出される電圧値が０である場合、つまりモデム部１５が電話回線網２２と接続されていない場合は、電圧検出回路３３がオフされて、電力消費状態が第２一時復帰モード状態から第２スリープ状態に戻る。一方、電圧検出回路３３により検出される電圧値が０でない場合、つまりモデム部１５が電話回線網２２と接続されている場合は、電力消費状態が第２一時復帰モード状態から第１スリープ状態に移行する。
【００３８】
電力消費状態を遷移させるため、ＣＰＵ４４により、次に説明する状態遷移処理が実行される。
【００３９】
＜状態遷移処理＞
【００４０】
状態遷移処理では、ＣＰＵ４４は、ＲＡＭ４３に設定されているフラグ（ＦＬＡＧ）の状態が１であるか否かを判断する（Ｓ１）。電源オフによりＲＡＭ４３がクリアされるので、電源オフの状態から電源キーが押操作（オン）された直後は、フラグの状態が０である。
【００４１】
フラグの状態が１でない場合（Ｓ１：ＮＯ）、つまりフラグの状態が０である場合、ＣＰＵ４４は、フラグの状態を０に保持したまま（Ｓ２）、第１通常処理を実行する（Ｓ３）。
【００４２】
＊第１通常処理
【００４３】
第１通常処理では、図４に示されるように、ＣＰＵ４４は、表示部１３及び操作部１４をオンにし（Ｓ３１）、画像形成部１１及び画像読取部１２をオンにし（Ｓ３２）、ネットワーク通信部１６をオンにする（Ｓ３３）。また、ＣＰＵ４４は、モデム部１５をオンにする（Ｓ３４）。これにより、ＭＦＰ１の電力消費状態は、画像形成部１１、画像読取部１２、表示部１３、操作部１４、モデム部１５及びネットワーク通信部１６の全てがオンにされた第１待機状態となる。
【００４４】
第１待機状態の開始とともに、ＣＰＵ４４は、所定時間Ｔ１の計測を開始する（Ｓ３５）。
【００４５】
所定時間Ｔ１の計測中、ＣＰＵ４４は、操作部１４のキー操作による画像形成又は画像読取の実行命令、及び、モデム部１５又はネットワーク通信部１６による画像形成に係る信号（データ）の受信の有無を判断する（Ｓ３６）。なお、以下では、操作部１４のキー操作による画像形成又は画像読取の実行命令を、単に「処理命令」といい、モデム部１５又はネットワーク通信部１６による画像形成に係るデータの受信を、単に「データ受信」という。
【００４６】
所定時間Ｔ１の計測中に処理命令又はデータ受信があった場合には（Ｓ３６：ＹＥＳ）、ＣＰＵ４４は、所定時間Ｔ１の計測を終了し、処理命令又はデータ受信に応じて、画像形成部１１又は画像読取部１２を制御して、画像形成又は画像読取を実行する（Ｓ３７）。なお、操作部１４のキー操作によりコピーの実行が指示された場合には、画像読取部１２による画像読取の実行に続き、画像形成部１１による画像形成が実行される。画像形成又は画像読取の実行後、ＣＰＵ４４は、所定時間Ｔ１の計測を新たに開始する（Ｓ３５）。
【００４７】
所定時間Ｔ１の計測中に処理命令又はデータ受信がなく（Ｓ３６：ＮＯ）、第１待機状態の開始時又は処理命令若しくはデータ受信時から所定時間Ｔ１が経過すると（Ｓ３８：ＹＥＳ）、ＣＰＵ４４は、第１通常処理を終了する。
【００４８】
＊第１スリープ処理
【００４９】
図３に示されるように、第１通常処理の終了後、ＣＰＵ４４は、第１スリープ処理を実行する（Ｓ４）。
【００５０】
第１スリープ処理では、図５に示されるように、ＣＰＵ４４は、表示部１３をオフにし（Ｓ４１）、画像形成部１１及び画像読取部１２をオフにする（Ｓ４２）。これにより、ＭＦＰ１の電力消費状態は、画像形成部１１、画像読取部１２及び表示部１３がオフにされ、操作部１４、モデム部１５及びネットワーク通信部１６がオンにされた第１スリープ状態となる。
【００５１】
第１スリープ状態の開始とともに、ＣＰＵ４４は、所定時間Ｔ２の計測を開始する（Ｓ４３）。
【００５２】
そして、ＣＰＵ４４は、処理命令及びデータ受信の有無を判断する（Ｓ４４）。
【００５３】
処理命令及びデータ受信がない場合（Ｓ４４：ＮＯ）、ＣＰＵ４４は、所定時間Ｔ２の計測を続け、第１スリープ状態の開始から所定時間Ｔ２が経過したか否かを判断する（Ｓ４５）。
【００５４】
処理命令及びデータ受信がなく（Ｓ４４：ＮＯ）、第１スリープ状態の開始から所定時間Ｔ２が経過すると（Ｓ４５：ＹＥＳ）、ＣＰＵ４４は、第１スリープ処理を終了する。
【００５５】
第１スリープ状態の開始から所定時間Ｔ２が経過する前に、処理命令又はデータ受信があった場合、ＣＰＵ４４は、フラグの状態が０であることを確認し（図３のＳ１：ＮＯ）、フラグの状態を０に保持したまま（Ｓ２）、第１通常処理を実行する（Ｓ３）。そのため、ＭＦＰ１の電力消費状態は、第１スリープ状態から第１待機状態に移行する。そして、第１通常処理において、ＣＰＵ４４は、処理命令又はデータ受信があったと判断し（Ｓ３６：ＹＥＳ）、その処理命令又はデータ受信に応じた画像形成又は画像読取を実行させる（Ｓ３７）。
【００５６】
＊オフモード状態移行判断
【００５７】
図３に示されるように、第１スリープ処理の終了後、ＣＰＵ４４は、モデム部１５の電圧検出回路３３により検出される電圧値を取得する（Ｓ５）。
【００５８】
電圧値の取得後、ＣＰＵ４４は、その電圧値から回線電圧の有無を判断する（Ｓ６）。具体的には、ＣＰＵ４４は、電圧検出回路３３により検出される電圧値が０でない場合、回線電圧有りと判断する（Ｓ６：ＹＥＳ）。言い換えれば、ＣＰＵ４４は、電圧検出回路３３により回線電圧が検出されている場合、回線電圧有りと判断する。一方、ＣＰＵ４４は、電圧検出回路３３により検出される電圧値が０である場合、回線電圧無しと判断する（Ｓ６：ＮＯ）。
【００５９】
ＣＰＵ４４は、回線電圧有りと判断した場合（Ｓ６：ＹＥＳ）、第１スリープ処理を実行する（Ｓ４）。これにより、ＭＦＰ１の電力消費状態は、第１スリープ状態に維持される。
【００６０】
ＣＰＵ４４は、回線電圧無しと判断した場合（Ｓ６：ＮＯ）、フラグの状態を１にする（Ｓ７）。
【００６１】
その後、ＣＰＵ４４は、オフモード処理を実行し（Ｓ８）、状態遷移処理を終了する。
【００６２】
＊オフモード処理
【００６３】
オフモード処理では、図６に示されるように、ＣＰＵ４４は、ネットワーク通信部１６をオフにし（Ｓ８０１）、モデム部１５をオフにする（Ｓ８０２）。これにより、ＭＦＰ１の電力消費状態は、画像形成部１１、画像読取部１２、表示部１３、モデム部１５及びネットワーク通信部１６がオフにされ、操作部１４がオンにされたオフモード状態となる。
【００６４】
オフモード状態の開始とともに、ＣＰＵ４４は、所定時間Ｔ３の計測を開始する（Ｓ８０３）。
【００６５】
そして、ＣＰＵ４４は、操作部１４の電源キーが押操作（オン）されたか否かを判断する（Ｓ８０４）。
【００６６】
電源キーがオンされない場合（Ｓ８０４：ＮＯ）、ＣＰＵ４４は、所定時間Ｔ３の計測を続け、その計測開始から所定時間Ｔ３が経過したか否かを判断する（Ｓ８０５）。
【００６７】
電源キーがオンされることなく（Ｓ８０４：ＮＯ）、所定時間Ｔ３が経過すると（Ｓ８０５：ＹＥＳ）、ＣＰＵ４４は、モデム部１５の電圧検出回路３３をオンにする（Ｓ８０６）。これにより、ＭＦＰ１の電力消費状態は、オフモード状態から第１一時復帰モード状態に移行する。
【００６８】
第１一時復帰モード状態において、ＣＰＵ４４は、モデム部１５の電圧検出回路３３により検出される電圧値を取得する（Ｓ８０７）。
【００６９】
電圧値の取得後、ＣＰＵ４４は、その電圧値から回線電圧の有無を判断する（Ｓ８０８）。回線電圧の有無の判断については、前述したとおりである。
【００７０】
ＣＰＵ４４は、回線電圧無しと判断した場合（Ｓ８０８：ＮＯ）、電圧検出回路３３をオフにする（Ｓ８０９）。これにより、ＭＦＰ１の電力消費状態は、第１一時復帰モード状態からオフモード状態に戻る。
【００７１】
オフモード状態に戻ると、ＣＰＵ４４は、所定時間Ｔ３の計測を新たに開始する（Ｓ８０３）。
【００７２】
一方、ＣＰＵ４４は、回線電圧有りと判断した場合（Ｓ８０８：ＹＥＳ）、フラグの状態を０にリセットして（Ｓ８１０）、オフモード処理を終了する。この場合、フラグが０の状態で、図３に示される状態遷移処理が新たに開始されることになる。
【００７３】
また、オフモード状態において、操作部１４の電源キーがオンされた場合（Ｓ８０４：ＹＥＳ）、ＣＰＵ４４は、フラグの状態を０にリセットせずに、オフモード処理を終了する。オフモード処理の開始前にフラグの状態が１にされているので、この場合、フラグが１の状態で、図３に示される状態遷移処理が新たに開始されることになる。
【００７４】
＊フラグ＝０でのオフモード処理の終了
【００７５】
オフモード状態で回線電圧有りと判断されて、フラグが０の状態でオフモード処理が終了し、図３に示される状態遷移処理が新たに開始される場合、フラグの状態が１であるか否かの判断が否定され（Ｓ１：ＮＯ）、フラグの状態が０に保持されたまま（Ｓ２）、第１通常処理が実行される（Ｓ３）。そのため、ＭＦＰ１の電力消費状態は、オフモード状態から第１待機状態に移行する。
【００７６】
＊フラグ＝１でのオフモード処理の終了
【００７７】
オフモード状態で電源キーが操作されて、フラグが１の状態でオフモード処理が終了し、図３に示される状態遷移処理が新たに開始される場合、フラグの状態が１であるか否かの判断が肯定される（Ｓ１：ＹＥＳ）。この場合、ＣＰＵ４４により、第２通常処理が実行される（Ｓ９）。
【００７８】
＊第２通常処理
【００７９】
第２通常処理では、図７に示されるように、ＣＰＵ４４は、表示部１３及び操作部１４をオンにし（Ｓ９１）、画像形成部１１及び画像読取部１２をオンにし（Ｓ９２）、ネットワーク通信部１６をオンにする（Ｓ９３）。第２通常処理では、ＣＰＵ４４は、モデム部１５をオンにしない。これにより、ＭＦＰ１の電力消費状態は、モデム部１５がオフにされ、画像形成部１１、画像読取部１２、表示部１３、操作部１４及びネットワーク通信部１６がオンにされた第２待機状態となる。
【００８０】
そして、ＣＰＵ４４は、表示部１３を制御して、電話回線が非接続である旨の警告を表示部１３の画面に表示させる（Ｓ９４）。
【００８１】
また、第２待機状態の開始とともに、ＣＰＵ４４は、所定時間Ｔ４の計測を開始する（Ｓ９５）。
【００８２】
所定時間Ｔ４の計測中、ＣＰＵ４４は、処理命令及びデータ受信の有無を判断する（Ｓ９６）。
【００８３】
所定時間Ｔ４の計測中に処理命令又はデータ受信があった場合（Ｓ９６：ＹＥＳ）、ＣＰＵ４４は、所定時間Ｔ４の計測を終了し、その処理命令又はデータ受信に応じて、画像形成部１１又は画像読取部１２を制御して、画像形成又は画像読取を実行させる（Ｓ９７）。画像形成又は画像読取の実行後、ＣＰＵ４４は、所定時間Ｔ４の計測を新たに開始する（Ｓ９５）。
【００８４】
所定時間Ｔ４の計測中に処理命令及びデータ受信がない場合（Ｓ９６：ＮＯ）、ＣＰＵ４４は、ユーザがモジュラジャック２１にモジュラケーブル２３を接続したことの指示を操作部１４から入力したか否かを判断する（Ｓ９８）。例えば、電話回線が非接続である旨の警告が表示部１３の画面に表示されている状態で、操作部１４に含まれるＯＫキーが押操作されると、ＣＰＵ４４は、表示部１３を制御して、電話回線を接続したか否かをユーザに問い合わせるメッセージ及び「ＹＥＳ／ＮＯ」のボタンが表示部１３の画面に表示させる。そして、操作部１４に含まれるカーソルキーの押操作により「ＹＥＳ」のボタンが選択されて、ＯＫボタンが押操作されると、ＣＰＵ４４は、モジュラジャック２１にモジュラケーブル２３を接続したことの指示があったと判断する。
【００８５】
接続の指示があった場合（Ｓ９８：ＹＥＳ）、ＣＰＵ４４は、フラグの状態を０にリセットして（図３のＳ２）、第１通常処理を実行する（Ｓ３）。そのため、ＭＦＰ１の電力消費状態は、第２待機状態から第１待機状態に移行する。
【００８６】
一方、接続の指示がなく（Ｓ９８：ＮＯ）、第２待機状態の開始時又は処理命令若しくはデータ受信時から所定時間Ｔ４が経過すると（Ｓ９９：ＹＥＳ）、ＣＰＵ４４は、第２通常処理を終了する。
【００８７】
＊第２スリープ処理
【００８８】
図３に示されるように、第２通常処理の終了後、ＣＰＵ４４は、第２スリープ処理を実行する（Ｓ１０）。
【００８９】
第２スリープ処理では、図８に示されるように、ＣＰＵ４４は、表示部１３をオフにし（Ｓ１０１）、画像形成部１１及び画像読取部１２をオフにする（Ｓ１０２）。これにより、ＭＦＰ１の電力消費状態は、画像形成部１１、画像読取部１２、表示部１３及びモデム部１５がオフにされ、操作部１４及びネットワーク通信部１６がオンにされた第２スリープ状態となる。
【００９０】
第２スリープ状態の開始とともに、ＣＰＵ４４は、所定時間Ｔ５の計測を開始する（Ｓ１０３）。
【００９１】
そして、ＣＰＵ４４は、処理命令及びデータ受信の有無を判断する（Ｓ１０４）。
【００９２】
処理命令及びデータ受信がない場合（Ｓ１０４：ＮＯ）、ＣＰＵ４４は、所定時間Ｔ５の計測を続け、第２スリープ状態の開始から所定時間Ｔ５が経過したか否かを判断する（Ｓ１０５）。
【００９３】
第２スリープ状態の開始から所定時間Ｔ５が経過する前に、処理命令又はデータ受信があった場合、ＣＰＵ４４は、フラグの状態が１であることを確認し（図３のＳ１：ＹＥＳ）、第２通常処理を実行する（Ｓ３）。そのため、ＭＦＰ１の電力消費状態は、第２スリープ状態から第２待機状態に移行する。そして、第２通常処理において、ＣＰＵ４４は、処理命令又はデータ受信があったと判断し（図７のＳ９６：ＹＥＳ）、その処理命令又はデータ受信に応じた画像形成又は画像読取を実行させる（Ｓ９７）。
【００９４】
処理命令及びデータ受信がなく（Ｓ１０４：ＮＯ）、第２スリープ状態の開始から所定時間Ｔ５が経過すると（Ｓ１０５：ＹＥＳ）、ＣＰＵ４４は、モデム部１５の電圧検出回路３３をオンにする（Ｓ１０６）。これにより、ＭＦＰ１の電力消費状態は、第２スリープ状態から第２一時復帰モード状態に移行する。
【００９５】
第２一時復帰モード状態において、ＣＰＵ４４は、モデム部１５の電圧検出回路３３により検出される電圧値を取得する（Ｓ１０７）。
【００９６】
電圧値の取得後、ＣＰＵ４４は、その電圧値から回線電圧の有無を判断する（Ｓ１０８）。回線電圧の有無の判断については、前述したとおりである。
【００９７】
ＣＰＵ４４は、回線電圧無しと判断した場合（Ｓ１０８：ＮＯ）、電圧検出回路３３をオフにする（Ｓ１０９）。これにより、ＭＦＰ１の電力消費状態は、第２一時復帰モード状態から第２スリープ状態に戻る。
【００９８】
第２スリープ状態に戻ると、ＣＰＵ４４は、所定時間Ｔ５の計測を新たに開始する（Ｓ１０３）。
【００９９】
一方、ＣＰＵ４４は、回線電圧有りと判断した場合（Ｓ１０８：ＹＥＳ）、第１スリープ処理を実行する（図３のＳ４）。第１スリープ処理の実行により、ＭＦＰ１の電力消費状態は、第２一時復帰モード状態から第１スリープ状態に移行する。
【０１００】
＜作用効果＞
【０１０１】
以上のように、ＭＦＰ１の電力消費状態が第１待機状態から第１スリープ状態に移行し、処理命令及びデータ受信がなく、第１スリープ状態の開始から所定時間Ｔ２が経過し、その時点でモデム部１５が電話回線網２２（電話回線）と接続されていない場合、電力消費状態が第１スリープ状態からオフモード状態に移行する。オフモード状態では、画像形成部１１、画像読取部１２、表示部１３、モデム部１５及びネットワーク通信部１６がオフにされ、消費電力が最も低く抑えられる。
【０１０２】
オフモード状態において、電源キーが押操作（オン）されると、モデム部１５がオフのまま、画像形成部１１、画像読取部１２、表示部１３、操作部１４及びネットワーク通信部１６がオンにされることにより、電力消費状態がオフモード状態から第２待機状態に移行する。第１待機状態では、画像形成部１１、画像読取部１２、表示部１３、操作部１４、モデム部１５及びネットワーク通信部１６がオンにされる。したがって、オフモード状態から第２待機状態に移行することによって、オフモード状態からモデム部１５がオンにされる第１待機状態に移行する場合に比べて、モデム部１５の消費電力分、省電力とすることができる。
【０１０３】
オフモード状態では、所定時間Ｔ３が経過する毎に、低圧電源１７から電圧検出回路３３に動作電力が供給される。これにより、電力消費状態がオフモード状態から第１一時復帰モード状態に移行する。そして、電圧検出回路３３によって回線電圧が検出された場合、電力消費状態が第１一時復帰モード状態から第１待機状態に移行する。その結果、モデム部１５が電話回線網２２と接続された場合に、その接続が所定時間Ｔ３以内に判明し、その接続が判明した時点で、電力消費状態を第１待機状態にすることができる。
【０１０４】
第１待機状態及び第２待機状態の違いは、モデム部１５がオンであるか否かの違いである。そのため、ＭＦＰ１の外見上からは、電力消費状態が第１待機状態であるか第２状態であるか、つまりモデム部１５を使用可能（ファクシミリ機能を使用可能）であるか否かを判別することができない。第２待機状態では、電話回線が非接続である旨の警告が表示部１３の画面に表示される。これにより、ユーザは、モジュラジャック２１にモジュラケーブル２３が接続されていないこと（電話回線が非接続であること）を認識することができる。
【０１０５】
そして、表示部１３の画面に表示された警告を見たユーザがモジュラジャック２１にモジュラケーブル２３を接続し、ユーザが接続したことを操作部１４から指示した場合、モデム部１５がオンにされて、電力消費状態が第２待機状態から第１待機状態に移行する。そのため、ユーザがファクシミリ機能を直ちに使用することができる。
【０１０６】
第２待機状態において、第２待機状態の開始時又は処理命令若しくはデータ受信時から所定時間Ｔ４が経過すると、電力消費状態が第２待機状態から第２スリープ状態に移行する。第２スリープ状態では、表示部１３がオフにされるので、ユーザは、モジュラジャック２１にモジュラケーブル２３を接続しても、ファクシミリ機能を使用可能であるか否かを認識できない（電話回線が非接続である旨の警告等が表示部１３の画面に表示されない）。
【０１０７】
そのため、第２スリープ状態の開始から所定時間Ｔ５毎に、低圧電源１７から電圧検出回路３３に動作電力が供給される。これにより、電力消費状態が第２スリープ状態から第２一時復帰モード状態に移行する。そして、電圧検出回路３３によって回線電圧が検出された場合、電力消費状態が第２一時復帰モード状態から第１スリープ状態に移行し、モデム部１５がオンになる。したがって、ユーザがファクシミリ機能を使用することができる。
【０１０８】
＜変形例＞
【０１０９】
以上、本発明の実施形態について説明したが、本発明は、他の形態で実施することもできる。
【０１１０】
前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【０１１１】
また、画像処理装置の一例として、ＭＦＰ１を取り上げたが、画像形成処理は、ファクシミリ機能を有する装置であれば、例えば、ファクシミリ機能を有する単機能のファクシミリ装置であってもよい。
【０１１２】
その他、前述の構成には、特許請求の範囲に記載された事項の範囲で種々の設計変更を施すことが可能である。
【符号の説明】
【０１１３】
１    ＭＦＰ
１１  画像形成部
１２  画像読取部
１４  操作部
１５  モデム部
１７  電源部
２１  モジュラジャック
２２  電話回線網
２４  第１接点
２５  第２接点
３５  第１接続線
３６  第２接続線
【図１】
0006402669.tif 000002
【図２】
0006402669.tif 000003
【図３】
0006402669.tif 000004
【図４】
0006402669.tif 000005
【図５】
0006402669.tif 000006
【図６】
0006402669.tif 000007
【図７】
0006402669.tif 000008
【図８】
0006402669.tif 000009